(57)【要約】【課題】簡単な構成にて、情報処理装置及び周辺装置の主電源が、安全、簡単且つ確実に、一括して投入・遮断される電源制御装置、該電源制御装置を備える情報処理システム及びビデオ会議システムを提供する。【解決手段】電源制御装置(50)は、一括スイッチ(42)によって断続される電源タップ(40)からスピーカ付モニタ(118)、ＤＶＤプレイヤ(120)及びスイッチングハブ(122)への電力供給状態を検知する検知モジュール(52)と、光信号を発信可能な発光モジュール(56)と、検知モジュール(52)によって検知された電力供給状態に応じて、スピーカ付モニタ(118)、ＤＶＤプレイヤ(120)及びスイッチングハブ(122)に接続されたビデオ会議装置(110)に対する起動命令及び停止命令を、光信号として発光モジュール(56)に発信させる制御モジュール(54)とを備える。【選択図】図２
2012191290.tif 000002
【特許請求の範囲】
【請求項１】
一括スイッチによって断続される電源タップから周辺装置への電力供給状態を検知する検知モジュールと、
光信号を発信可能な発光モジュールと、
前記検知モジュールによって検知された前記電力供給状態に応じて、前記周辺装置に接続された情報処理装置に対する起動命令及び停止命令を、前記光信号として前記発光モジュールに発信させる制御モジュールと、
を備える電源制御装置。
【請求項２】
請求項１に記載の電源制御装置と、
前記周辺装置と、
前記情報処理装置と、
を備える情報処理システム。
【請求項３】
前記情報処理装置と一体又は別体に設けられた受光モジュールを介して、前記起動命令及び前記停止命令が前記情報処理装置に入力される、
請求項２に記載の情報処理システム。
【請求項４】
前記電源制御装置は、前記情報処理装置が起動シーケンスを実行している間に、前記電力供給状態によれば前記停止命令を送信すべき場合、前記起動シーケンスの終了後に前記停止命令を送信する、
請求項３に記載の情報処理システム。
【請求項５】
前記電源制御装置は、前記情報処理装置が停止シーケンスを実行している間に、前記電力供給状態によれば前記起動命令を送信すべき場合、前記停止シーケンスの終了後に前記起動命令を送信する、
請求項３又は４に記載の情報処理システム。
【請求項６】
請求項１に記載の電源制御装置と、
前記周辺装置としてのモニタと、
前記情報処理装置として、ビデオカメラ及びマイクを通じて取得した映像データ及び画像データを圧縮して他の情報処理装置に向けて送信し、且つ、他の情報処理装置から受信した圧縮された映像データ及び画像データを復元し、復元された映像データ及び画像データに基づいて、前記モニタ及びスピーカに映像及び音声を出力させるビデオ会議装置と、
を備えるビデオ会議システム。
【発明の詳細な説明】
【技術分野】
【０００１】
本発明は、情報処理装置用の電源制御装置、該電源制御装置を備える情報処理システム及びビデオ会議システムに関する。
【背景技術】
【０００２】
ビデオ会議システムは、例えば、ビデオ会議が実施される会議室に設置される。ビデオ会議システムはビデオ会議装置を含み、ビデオ会議装置には、付属品としてのビデオカメラやマイクが接続される。また、ビデオ会議装置には、周辺装置として、スピーカ付モニタ、ＤＶＤプレイヤ、及び、スイッチングハブ等のネットワーク装置が接続される。
【０００３】
ビデオ会議装置は、ビデオカメラ及びマイクによって取得された映像データ及び画像データに、圧縮処理等の適当な情報処理を施す。そして、ビデオ会議装置は、ネットワーク装置を通じて、処理済みの映像データ及び画像データを、他のビデオ会議システム若しくは複数のビデオ会議システムを統合制御する多地点接続装置に向けて送信する。
【０００４】
従来、ビデオ会議システムでは、ビデオ会議装置及び周辺装置の電源プラグが、一括スイッチ付きの電源タップに接続され、ビデオ会議装置及び周辺装置の主電源の投入・切断が、一括スイッチのオン・オフによって一括して行われていた。このため、ビデオ会議システムの利用者は、全ての装置の主電源の投入・切断を、漏れなく容易に行うことができた。
【０００５】
しかしながら、近年、高機能化及び汎用化のため、ビデオ会議装置はＯＳ（オペレーティングシステム）を実装している。このため、ビデオ会議装置は、主電源が遮断される前に、ＯＳに規定されたシャットダウンシーケンスを実行する必要がある。
【０００６】
この場合、一括スイッチ付きの電源タップにビデオ会議システム及び周辺装置の電源プラグを接続しておき、ビデオ会議装置及び周辺装置の主電源を、一括スイッチの操作により同時に遮断するわけにはいかない。そこで、ビデオ会議装置の主電源の投入・遮断と、周辺装置の主電源の投入・遮断とを別々に行う必要があった。
具体的には、ビデオ会議装置を停止させるために、ビデオ会議装置の筐体に設けられた電源ボタンを押下するか、若しくは、付属の赤外線リモコンの電源ボタンを押下する必要があった。
【０００７】
一方、特許文献１は、情報処理装置に接続された一の周辺装置における主電源の投入・遮断に応じて、情報処理装置及び他の周辺装置の主電源の投入・遮断を行う電源制御方式を開示している。より詳しくは、この電源制御方式に用いられる情報処理装置は、電源連動用モジュールを有し、電源連動モジュールが、一の周辺装置における主電源の投入及び遮断を検知し、情報処理装置及び他の周辺装置に主電源の投入及び遮断を命令する。
【先行技術文献】
【特許文献】
【０００８】
【特許文献１】特開平１１−２１２６８２号公報
【発明の概要】
【発明が解決しようとする課題】
【０００９】
特許文献１が開示する電源制御方式にあっては、情報処理装置に電源連動用モジュールを新たに設ける必要があり、構成が複雑であるという問題がある。
また、一の周辺装置の主電源の投入・遮断によって、情報処理装置及び他の周辺装置の主電源の投入・遮断が行われるという電源制御方式は、その情報処理装置を頻繁に使用している者以外には、瞬時には分かりづらい。特に、この電源制御方式をビデオ会議システムに適用する場合、ビデオ会議システムを利用する多数の者に、電源制御方式の動作を周知することは困難である。
【００１０】
一方、今後販売されるビデオ会議システムにおいて、従来のビデオ会議システムのように、電源タップの一括スイッチの操作により、ビデオ会議装置及び周辺装置の主電源の投入・切断を一括して行えるようにすることは、操作の共通性を確保し、利用者の利便性を図るという観点から望ましい。
【００１１】
本発明は、上述した事情に鑑みてなされ、その目的とするところは、簡単な構成にて、情報処理装置及び周辺装置の主電源が、安全、簡単且つ確実に、一括して投入・遮断される電源制御装置、該電源制御装置を備える情報処理システム及びビデオ会議システムを提供することにある。
【課題を解決するための手段】
【００１２】
上記目的を達成するため、本発明の一態様によれば、一括スイッチによって断続される電源タップから周辺装置への電力供給状態を検知する検知モジュールと、光信号を発信可能な発光モジュールと、前記検知モジュールによって検知された前記電力供給状態に応じて、前記周辺装置に接続された情報処理装置に対する起動命令及び停止命令を、前記光信号として前記発光モジュールに発信させる制御モジュールと、を備える電源制御装置が提供される。
【００１３】
また、本発明の一態様によれば、上記電源制御装置と、前記周辺装置と、前記情報処理装置と、を備える情報処理システムが提供される。
【００１４】
更に、本発明の一態様によれば、上記電源制御装置と、前記周辺装置としてのモニタと、前記情報処理装置として、ビデオカメラ及びマイクを通じて取得した映像データ及び画像データを圧縮して他の情報処理装置に向けて送信し、且つ、他の情報処理装置から受信した圧縮された映像データ及び画像データを復元し、復元された映像データ及び画像データに基づいて、前記モニタ及びスピーカに映像及び音声を出力させるビデオ会議装置と、を備えるビデオ会議システムが提供される。
【発明の効果】
【００１５】
本発明によれば、簡単な構成にて、情報処理装置及び周辺装置の主電源が、安全、簡単且つ確実に、一括して投入・遮断される電源制御装置、該電源制御装置を備える情報処理システム及びビデオ会議システムが提供される。
【図面の簡単な説明】
【００１６】
【図１】第１実施形態の情報処理システムの概略的な構成を示すブロック図である。
【図２】第２実施形態のビデオ会議システムの概略的な構成を示すブロック図である。
【図３】図２のビデオ会議システムの配置の一例を概略的に示す斜視図である。
【図４】図２のビデオ会議システムに適用された制御モジュール及び発光モジュールの外観を概略的に示す斜視図である。
【図５】図２の発光モジュールの設置方法の一例を説明するための概略的な部分断面図である。
【発明を実施するための形態】
【００１７】
〔第１実施形態〕
以下、図面を参照して本発明の第１実施形態の情報処理システム１について説明する。
図１は、情報処理システム１の概略的な構成を示すブロック図である。情報処理システム１は、所定の機能を実行するように構成されている。機能は、特に限定されることはないが、電子情報の処理（情報処理）を含む。
【００１８】
情報処理システム１は、情報処理を主に担当する情報処理装置１０を有する。情報処理装置１０は、例えば、ＣＰＵ（中央演算処理装置）１２及びメモリ１４を含み、メモリ１４は、ＯＳ１６とともにアプリケーションソフトを記憶している。ＣＰＵ１２は、メモリ１４と協働して情報処理を実行し、情報処理システム１に機能を発揮させる。情報処理装置１０は、特定の機能に特化したものであってもよいが、種々の機能を発揮可能なパーソナルコンピュータであってもよい。
【００１９】
情報処理装置１０は、第１周辺装置１８、第２周辺装置２０、及び、第３周辺装置２２に、通信ケーブルを通じて接続されている。第１周辺装置１８、第２周辺装置２０、及び、第３周辺装置２２は、情報処理システム１の機能を確保するために、該機能のうち一部の特定の機能をそれぞれ担当する。周辺装置とは、例えば、プリンタ、モニタ、ハードディスクやＤＶＤプレイヤ等の記憶装置、及び、スイッチングハブやルータ等のネットワーク装置等である。
【００２０】
また、情報処理装置１０には、受光モジュール２４が接続されている。なお、受光モジュール２４は、情報処理装置１０に通信ケーブルを通じて接続されていてもよいが、情報処理装置１０の筐体に組み込まれていてもよい。
【００２１】
受光モジュール２４は、リモコン２６からの光信号を受信し、受信した光信号に対応する電気信号を情報処理装置１０に入力する。光信号は、例えば赤外線を変調して形成され、受光モジュール２４は、赤外線を電気に変換する受光素子を有する。
【００２２】
リモコン２６の操作者は、情報処理装置１０を遠隔操作可能であり、情報処理装置１０に対して、起動、所定の機能の実行、及び、停止を命令することができる。情報処理装置１０は、起動命令が入力されると、ＯＳ１６に基づいて、起動シーケンスを実行する。起動シーケンスが終了すると、情報処理装置１０は、他の命令に基づく情報処理を実行可能になる。また、情報処理装置１０は、停止命令が入力されると、ＯＳ１６に基づいて、停止シーケンス（シャットダウンシーケンス）を実行する。停止シーケンスの最後には、主電源が切られる。情報処理装置１０の主電源が切られると、略全ての機能を実行させることが不可能になる。
【００２３】
ただし、情報処理装置１０の主電源が切られても、情報処理装置１０の電源プラグ２８が電源タップ（第１電源タップ）３０のソケットに接続されていれば、受光モジュール２４に待機電力が供給される。このため、情報処理装置１０の主電源が切られていても、リモコン２６の操作によって、情報処理装置１０を起動させることが出来る。
なお、第１電源タップ３０は、壁コンセント３２等の電源に接続され、情報処理装置１０に対して、常時電力を供給可能である。
【００２４】
一方、第１周辺装置１８、第２周辺装置２０、及び、第３周辺装置２２の電源プラグ３４，３６，３８は、他の電源タップ（第２電源タップ）４０のソケットに接続されている。第２電源タップ４０も、壁コンセント３２等の電源に接続されており、電力を第１周辺装置１８、第２周辺装置２０、及び、第３周辺装置２２に供給可能である。
【００２５】
第２電源タップ４０には、一括スイッチ４２が一体、又は、好ましくは別体に設けられている。一括スイッチ４２は、第１周辺装置１８、第２周辺装置２０、及び、第３周辺装置２２に供給される電力を一括して断続可能である。
【００２６】
具体的には、一括スイッチ４２は、オン位置とオフ位置を有する。一括スイッチ４２がオン位置にあるとき、第２電源タップ４０から、第１周辺装置１８、第２周辺装置２０、及び、第３周辺装置２２に電力が供給され、一括スイッチ４２がオフ位置にあるとき、第２電源タップ４０からの第１周辺装置１８、第２周辺装置２０、及び、第３周辺装置２２への電力供給が切断される。
【００２７】
電力供給の切断は、第１周辺装置１８、第２周辺装置２０、及び、第３周辺装置２２の各々の主電源が強制的に切断されることを意味し、第１周辺装置１８、第２周辺装置２０、及び、第３周辺装置２２の各々は、主電源が切られると、略全ての機能を実行させることが不可能になる。
なお、一括スイッチ４２及び第２電源タップ４０をまとめて、一括スイッチ付き電源タップ４４ともいう。
【００２８】
〔電源制御装置〕
更に、情報処理システム１は、電源制御装置５０を有する。電源制御装置５０は、検知モジュール５２、制御モジュール５４及び発光モジュール５６を有する。
検知モジュール５２は、例えば、第２電源タップ４０と一体又は別体に設けられ、且つ、制御モジュール５４に接続されている。検知モジュール５２は、第２電源タップ４０から第１周辺装置１８、第２周辺装置２０、及び、第３周辺装置２２への電力の供給状態を検知し、検知結果を制御モジュール５４に通知する。
【００２９】
例えば、検知モジュール５２は、第１周辺装置１８、第２周辺装置２０、及び、第３周辺装置２２へ電力が供給されているときに、所定の電圧、例えば５Ｖを、電力供給状態であることを示す信号（電力供給検知信号）として制御モジュール５４に向けて出力する。
一方、検知モジュール５２は、第１周辺装置１８、第２周辺装置２０、及び、第３周辺装置２２へ電力が供給されていないときに、電力切断状態であることを示す信号（電力切断検知信号）として、制御モジュール５４への電圧の出力を停止する。なお、検知モジュール５２は、電力切断検知信号として、５Ｖ以外の電圧を制御モジュール５４に向けて出力してもよい。
【００３０】
発光モジュール５６は、制御モジュール５４と一体又は別体に設けられる。発光モジュール５６は、制御モジュール５４と接続され、制御モジュール５４からの命令に従って、赤外線の光信号を発信する。そのために、発光モジュール５６は、発光素子としてＬＥＤ（発光ダイオード）を含む。なお、発光モジュール５６は、自身が出射した光信号を受光モジュール２４が受信可能な位置に配置される。
【００３１】
制御モジュール５４は、検知モジュール５２及び発光モジュール５６に接続され、検知モジュール５２の検知結果に基づいて、発光モジュール５６を作動させる。
具体的には、制御モジュール５４は、第１周辺装置１８、第２周辺装置２０、及び、第３周辺装置２２への電力供給が開始されたときに、発光モジュール５６に向けて起動命令送信命令を出力する。発光モジュール５６は、起動命令送信命令が入力されると、情報処理装置１０に向けて起動命令を光信号にて送信する。
【００３２】
一方、制御モジュール５４は、第１周辺装置１８、第２周辺装置２０、及び、第３周辺装置２２への電力供給が停止されたときに、発光モジュール５６に向けて停止命令送信命令を出力する。発光モジュール５６は、停止命令送信命令が入力されると、情報処理装置１０に向けて停止命令を光信号にて送信させる。
なお、電力供給の開始及び停止は、電力切断検知信号から電力供給検知信号への変化、及び、電力供給検知信号から電力切断検知信号への変化によってそれぞれ検知可能である。
【００３３】
情報制御装置１０は、リモコン２６の操作による場合と同様に、受光モジュール２４が発光モジュール５６から起動命令を受信すると起動シーケンスを実行し、停止命令を受信すると、停止シーケンスを実行した後に主電源を落とす。
なお、制御モジュール５４の電源プラグ５８は、第１電源タップ３０に接続されており、制御モジュール５４、則ち電源制御装置５０は、常時動作可能である。
【００３４】
好ましい態様として、制御モジュール５４は、タイマ６０を含んでいても良い。タイマ６０は、起動命令送信命令の出力から所定の時間（起動猶予時間）、停止命令送信命令の出力を制御モジュール５４に留保させ、起動猶予時間の経過後、停止命令送信命令を出力させる。起動猶予時間は、情報処理装置１０が起動シーケンスを完了するために充分な時間であり、例えば７５秒に設定される。
【００３５】
同様に、タイマ６０は、停止命令送信命令の出力から所定の時間（停止猶予時間）、起動命令送信命令の出力を制御モジュール５４に留保させ、停止猶予時間の経過後、起動命令送信命令を出力させる。停止猶予時間は、情報処理装置１０が停止シーケンスを完了するために充分な時間であり、例えば１５秒に設定される。
【００３６】
以下、上述した第１実施形態の情報処理システム１の動作について説明する。
〔起動動作〕
上述した第１実施形態の情報処理システム１によれば、一括スイッチ４２の位置をオフ位置からオン位置に切り替えると、第２電源タップ４０から第１周辺装置１８、第２周辺装置２０、及び、第３周辺装置２２へ電力が供給されるとともに、検知モジュール５２が、電力供給を検知し、５Ｖの電圧（電力供給検知信号）を制御モジュール５４に向けて出力する。
【００３７】
制御モジュール５４は、電力供給検知信号が入力されると、制御モジュール５４は、発光モジュール５６に向けて起動命令送信命令を出力する。発光モジュール５６は、起動命令送信命令に基づいて、起動命令を光信号にて送信し、光信号は、受光モジュール２４によって受信される。受光モジュール２４が光信号にて起動命令を受信すると、情報処理装置１０は、起動シーケンスを実行して起動する。
【００３８】
そして、本実施形態では、好ましい態様として、タイマ６０の機能によって、一括スイッチ４２の位置をオン位置からオフ位置に切り替えてから、すぐに再びオン位置に切り替えたときに、オフ位置への切り替えから起算して停止猶予時間の終了まで、起動命令の送信が延期される。
【００３９】
〔停止動作〕
一方、一括スイッチ４２の位置をオン位置からオフ位置に切り替えると、第２電源タップ４０から第１周辺装置１８、第２周辺装置２０、及び、第３周辺装置２２への電力供給が停止されるとともに、検知モジュール５２が、電力供給の停止を検知し、０Ｖの電圧（電力切断検知信号）を制御モジュール５４に向けて出力する。
【００４０】
制御モジュール５４は、電力切断検知信号が入力されると、発光モジュール５６に向けて停止命令送信命令を出力する。発光モジュール５６は、停止命令送信命令に基づいて、停止命令を光信号にて送信し、光信号は、受光モジュール２４によって受信される。受光モジュール２４が光信号にて停止命令を受信すると、情報処理装置１０は、停止シーケンスを実行した後、主電源を切る。
【００４１】
そして、本実施形態では、好ましい態様として、タイマ６０の機能によって、一括スイッチ４２の位置をオフ位置からオン位置に切り替えてから、すぐに再びオフ位置に切り替えたときに、オン位置への切り替えから起算して起動猶予時間の終了まで、停止命令の送信が延期される。
【００４２】
上述した第１実施形態の情報処理システム１によれば、一括スイッチ４２の操作によって、情報処理装置１０、第１周辺装置１８、第２周辺装置２０、及び、第３周辺装置２２の主電源を一括して断続可能である。このため、情報処理システム１の利用者は、情報処理装置１０、第１周辺装置１８、第２周辺装置２０、及び、第３周辺装置２２の主電源を、簡単且つ確実に、一括して投入及び切断することができる。
【００４３】
一方、上述した第１実施形態の情報処理システム１によれば、一括スイッチ４２の操作によって、情報処理装置１０、第１周辺装置１８、第２周辺装置２０、及び、第３周辺装置２２の主電源を一括して切るときに、電源制御装置５０が、情報処理装置１０については、停止シーケンスを実行させ、それから主電源を切らせる。
【００４４】
このため、情報処理装置１０の主電源が、不所望のタイミングにて強制的に切断されることはなく、情報処理装置１０の異常終了による故障等が防止される。つまり、情報処理システム１の利用者は、情報処理装置１０、第１周辺装置１８、第２周辺装置２０、及び、第３周辺装置２２の主電源を、安全に、一括して切断することができる。
【００４５】
また、上述した第１実施形態の情報処理システム１によれば、一括スイッチ４２の位置が短時間で切り替えられたとしても、好ましい態様として、タイマ６０によって起動命令の送信及び停止命令の送信が延期される。
情報処理装置１０は、一般的に、起動シーケンス及び停止シーケンスの実行中、他の命令を実行することが出来ず、停止命令及び起動命令を受信しても実行出来ない。しかしながら、タイマ６０によって、停止命令及び起動命令の送信が、他の命令を実行可能になるまで延期されることで、情報処理装置１０は、延期された停止命令及び起動命令の各々に基づいて、停止シーケンス及び起動シーケンスを確実に実行することが出来る。
【００４６】
〔第２実施形態〕
以下、第２実施形態について説明する。第２実施形態は、第１実施形態の実施例に相当する。このため、第２実施形態の構成の一部については、第１実施形態と同一の名称又は符号を付して、説明を簡略化若しくは省略する。
【００４７】
図２は、第２実施形態のビデオ会議システム１００の概略的な構成を示すブロック図である。図２に示したように、情報処理システムとしてのビデオ会議システム１００は、情報処理装置として、ビデオ会議装置１１０を有する。ビデオ会議装置１１０は、ビデオ会議を実行するための機能を有する。
【００４８】
ビデオ会議装置１１０には、付属品として、カメラ１１１及びマイク１１３が接続されている。例えば、カメラ１１１及び受光モジュール２４は一体化され、一つのカメラユニット１１５を構成している。また、ビデオ会議装置１１０には、周辺装置として、スピーカ付モニタ１１８、ＤＶＤプレイヤ１２０、及び、スイッチングハブ１２２が接続されている。
【００４９】
ビデオ会議装置１１０は、カメラ１１１及びマイク１１３によって取得された映像データ及び音声データを圧縮処理して、圧縮データを作成する。そして、ビデオ会議装置１１０は、圧縮データを、ネットワーク装置としてのスイッチングハブ１２２を介して、他のビデオ会議システム又は多地点制御装置に向けて送信する。
【００５０】
また、ビデオ会議装置１１０は、スイッチングハブ１２２を介して、他のビデオ会議システム又は多地点制御装置が送信した圧縮データを受信し、そして、受信した圧縮データを復元して映像データ及び音声データを取得する。そして、ビデオ会議装置１１０は、取得した映像データ及び音声データに基づいて、スピーカ付モニタ１１８に映像及び音声を出力させる。
一方、ビデオ会議システム１００の利用者は、ＤＶＤプレイヤ１２０を用いて、記録媒体に、映像及び音声を記録させることができる。
【００５１】
図３は、ビデオ会議システム１００の配置の一例を説明するための概略的な斜視図である。
例えば、電源制御装置５０の制御モジュール５４、ビデオ会議装置１１０、ＤＶＤプレイヤ１２０、及び、スイッチングハブ１２２は、ラック１１７内に配置されている。そしてスピーカ付モニタ１１８は、ラック１１７上に配置されたスタンド１１９によって支持されている。
【００５２】
第１電源タップ３０及び第２電源タップ４０は、ラック１１７の側面に取り付けられている。第２電源タップ４０は、一括スイッチ４２と通信ケーブル１２１を用いて接続され、一括スイッチ４２は、スタンド１１９に一体に設けられた棚１２３の上に、目立つように設置されている。
【００５３】
また、電源制御装置５０の検知モジュール５２は、第２電源タップ４０に内蔵され、検知モジュール５２は、通信ケーブル１２５を介して、制御モジュール５４に接続されている。
一方、スピーカ付モニタ１１８上には、カメラユニット１１５が設置され、そして、カメラユニット１１５の近傍に電源制御装置５０の発光モジュール５６が設置されている。
【００５４】
図４は、電源制御装置５０の制御モジュール５４及び発光モジュール５６の外観を概略的に示す斜視図である。
制御モジュール５４のケース１２７には、例えば５Ｖの電源供給用の入力端子１２９と、５Ｖの電力供給検知信号及び電力切断検知信号用の入力端子１３１と、起動命令送信命令及び停止命令送信命令用の出力端子１３３とが設けられている。
【００５５】
出力端子１３３は、例えばＲＣＡジャックであり、出力端子１３３には、通信ケーブル１３５の一端に設けられたコネクタ１３７が接続される。通信ケーブル１３５は、発光モジュール５６のケース１３９から延出している。
発光モジュール５６のケース１３９には、透光性を有する出射窓１４１が設けられ、ケース１３９内に配置された発光素子が出射した光信号は、出射窓１４１を通じて外部に送信される。
【００５６】
ここで、図５に部分断面にて概略的に示したように、発光モジュール５６は、カメラユニット１１５のケース１４３に対し、両面テープ１４５を用いて固定されていてもよい。この場合、両面テープ１４５は、ケース１４３に設けられた入射窓１４７の全域を覆わないように貼られる。従って、光信号は、両面テープ１４５によって遮られることなく、入射窓１４７を通じて、受信モジュール２４によって受信される。
【００５７】
上述した第２実施形態のビデオ会議システム１００によれば、一括スイッチ４２の操作によって、ビデオ会議装置１１０、スピーカ付モニタ１１８、ＤＶＤプレイヤ１２０、及び、スイッチングハブ１２２の主電源を全て断続可能である。このため、ビデオ会議システム１００の利用者は、ビデオ会議装置１１０、スピーカ付モニタ１１８、ＤＶＤプレイヤ１２０、及び、スイッチングハブ１２２の主電源を、簡単且つ確実に、一括して投入及び切断することができる。
【００５８】
一方、上述した第２実施形態のビデオ会議システム１００によれば、一括スイッチ４２の操作によって、ビデオ会議装置１１０、スピーカ付モニタ１１８、ＤＶＤプレイヤ１２０、及び、スイッチングハブ１２２の主電源を一括して切るときに、電源制御装置５０が、ビデオ会議装置１１０については、停止シーケンスを実行させ、それから主電源を切らせる。
【００５９】
このため、ビデオ会議装置１１０の主電源が、不所望のタイミングにて強制的に切断されることはなく、ビデオ会議装置１１０の異常終了による故障等が防止される。つまり、ビデオ会議システム１００の利用者は、ビデオ会議装置１１０、スピーカ付モニタ１１８、ＤＶＤプレイヤ１２０、及び、スイッチングハブ１２２の主電源を、安全に、一括して切断することができる。
【００６０】
また、上述した第２実施形態のビデオ会議システム１００によれば、一括スイッチ４２の位置が短時間で切り替えられたとしても、好ましい態様として、タイマ６０によって起動命令の送信及び停止命令の送信が延期される。
ビデオ会議装置１１０は、一般的に、起動シーケンス及び停止シーケンスの実行中、他の命令を実行することが出来ず、停止命令及び起動命令を受信しても実行出来ない。しかしながら、タイマ６０によって、停止命令及び起動命令の送信が、他の命令を実行可能になるまで延期されることで、ビデオ会議装置１１０は、延期された停止命令及び起動命令の各々に基づいて、停止シーケンス及び起動シーケンスを確実に実行することが出来る。
【００６１】
本発明は、上述した第１及び第２実施形態に限定されることはなく、上述した第１及び第２実施形態に変更を加えた形態も含む。
【００６２】
例えば、第２実施形態では、情報処理装置がビデオ会議装置１１０であったけれども、情報処理装置は、ＯＳに基づいて動作する電子機器であればよく、パーソナルコンピュータ、サーバマシン、多地点接続装置、又は、スイッチングハブやルータ等のネットワーク装置であってもよい。情報処理装置がネットワーク装置である場合、情報処理システムはネットワークシステムである。
【００６３】
その他、図示とともに示した情報処理システム１及びビデオ会議システム１００の構成は、いずれも好ましい例であり、本発明の実施に際してこれらを適宜変更可能であることはいうまでもない。
【符号の説明】
【００６４】
１                  情報処理システム
１０                情報処理装置
１８                第１周辺装置
２０                第２周辺装置
２２                第３周辺装置
２４                受光モジュール
３０                第１電源タップ
４０                第２電源タップ（電源タップ）
４２                一括スイッチ
５０                電源制御装置
５２                検知モジュール
５４                制御モジュール
５６                発光モジュール
１００              ビデオ会議システム
１１０              ビデオ会議装置
１１８              スピーカ付モニタ
１２０              ＤＶＤプレイヤ
１２２              スイッチングハブ
【図１】
2012191290.tif 000003
【図２】
2012191290.tif 000004
【図３】
2012191290.tif 000005
【図４】
2012191290.tif 000006
【図５】
2012191290.tif 000007